(57)【要約】  筐体（ケース６、８）間を接合させる密封部材（ガスケット１０）に信号線（フレキシブルケーブル１８０又は１８１、１８２）を貫通させ、その信号線は重ねられ、接着材（両面接着シート２２）によって接合された構成である。即ち、重ねられた信号線間は介在させた接着材によって密封され、信号線の周囲部は密封部材によって密封されている。従って、筐体部（ケース部４）を構成するための筐体間は信号線を通過させるとともに、密封部材及び接着材によって密封される。
2009013798.tif 000002
【特許請求の範囲】
【請求項１】
筐体を密封する密封構造であって、
接合される筐体間に設置され、信号線を貫通させる密封部材と、
前記密封部材を貫通する前記信号線の間に設置され、重ねられた信号線間を接合させる接着材と、
を備えることを特徴とする密封構造。
【請求項２】
請求の範囲１の密封構造において、
前記接着材は、前記信号線の幅と同等又は異なる幅であることを特徴とする密封構造。
【請求項３】
請求の範囲１の密封構造において、
前記信号線は、前記密封部材と交差方向に配置されたことを特徴とする密封構造。
【請求項４】
請求の範囲１の密封構造において、
前記信号線は、その厚さに対して幅の広い板状であって、その板面側を前記密封部材の圧縮方向に配置したことを特徴とする密封構造。
【請求項５】
請求の範囲１の密封構造において、
前記信号線は、フラットケーブルであることを特徴とする密封構造。
【請求項６】
請求の範囲１の密封構造において、
前記接着材は、粘着材又は両面接着シートであることを特徴とする密封構造。
【請求項７】
請求の範囲１の密封構造において、
前記密封部材を前記信号線の一端部又は両端部に備えることを特徴とする密封構造。
【請求項８】
請求の範囲１、２、３、４、５、６又は７に記載の密封構造を備えることを特徴とするガスケット。
【請求項９】
請求の範囲１、２、３、４、５、６又は７に記載の密封構造を備えることを特徴とする電子機器。
【請求項１０】
請求の範囲８に記載のガスケットを備えることを特徴とする電子機器。
【請求項１１】
第１の筐体と、前記第１の筐体に対して接合される第２の筐体とを備える筐体部と、
前記筐体部内に設けられた回路部と、
前記回路部に接続され、前記筐体部から引き出される、第１のケーブル及び第２のケーブルと、
前記第１の筐体と前記第２の筐体との間に設けられ、前記第１のケーブル及び前記第２のケーブルが貫通する密封部材と、
前記第１のケーブルと前記第２のケーブルとの間に設けられ、重ねられた前記第１のケーブルと前記第２のケーブルとを接合させる接着材と、
を備えることを特徴とする電子機器。
【請求項１２】
請求の範囲１、２、３、４、５、６又は７に記載の密封構造を形成する工程を含むことを特徴とする密封方法。
【請求項１３】
請求の範囲８に記載のガスケットを設置する工程を含むことを特徴とする密封方法。
【請求項１４】
筐体を密封するガスケットの製造方法であって、
信号線の間に重ねて設置され、前記信号線間を接着材で接合させる工程と、
接合された前記信号線を貫通させる密封部材を形成する工程と、
を含むことを特徴とする、ガスケットの製造方法。
【発明の詳細な説明】
【技術分野】
【０００１】
本発明は、携帯装置の他、各種電子機器の筐体を密封する密封構造に関し、特に、フラットケーブル等の信号線を通過させるとともに、筐体を密封する密封構造、電子機器、密封方法、ガスケット及びその製造方法に関する。
【背景技術】
【０００２】
携帯端末装置等の電子機器では、操作性や携帯性を高めるため、その筐体が操作部側の筐体部と、表示部側の筐体部とをヒンジ部で連結して折畳み可能に構成される場合がある。このような場合、各筐体部に個別に設置された回路基板を信号線で接続することが必要であり、また、各筐体部には個別にＯリング等を設置した密封構造が用いられる。【０００３】
このような密封構造に関し、特許文献１では、固定側の筐体と可動側の筐体とを折畳み可能に連結し、筐体内の電子部品同士をフレキシブルケーブルで接続する電子装置が開示されている。この電子装置では、ガスケットにフレキシブルケーブルを通過させるために形成された挿通開口にケーブルケースが装着され、このケーブルケースに形成された挿通孔を通してフレキシブルケーブルが装着されるとともに、フレキシブルケーブルにスペーサが取り付けられ、このスペーサによってフレキシブルケーブルと挿通孔の内壁との間に形成された空間をシール剤収容スペースとし、このスペース内にシール剤が充填されている。【０００４】
また、特許文献２では、フラットケーブルを備えた密封構造に関し、密封する隙間に液状のゴムを充填し、シールを形成することが開示されている。
【特許文献１】特開２００６−９３５１０公報（要約及び図１等）
【特許文献２】ＷＯ０３／０８５７９３  Ａ１公報（要約及び図１等）
【発明の開示】
【発明が解決しようとする課題】
【０００５】
ところで、特許文献１に開示されている密封構造では、筐体間のガスケットと信号線とが分離しており、信号線は筐体の立壁に設けられた挿通孔を挿通させ、挿通孔と信号線の隙間に対してエラストマ、Ｏリングを用いたケーブルカバーを設置し、ケーブルカバーと信号線とをシールする構造であり、ケーブルカバーの設置がケーブルと筐体との間の隙間をシール剤で封止する処理が必要である。【０００６】
ケーブルとゴムとを用いた封止構造（特許文献２）では、機能を向上させた先進の電子機器では、複数の信号線を通過させることも余儀なくされ、斯かる構成にあっては対応できない場合がある。【０００７】
携帯端末装置等の電子機器にあっては、使用環境が拡大されたことに伴う高度な防水機能等の密封性能の要求、携帯性や操作性に伴う小型化、通信機能や情報処理機能等の高機能化に伴う筐体間の信号線の複雑化、普及に伴うコスト低減化等の多岐に亘る要求があり、斯かる要求は密封構造にも及んでいる。【０００８】
そこで、斯かる密封構造と電子機器の小型化について、複数枚のケーブルに対する密封構造を特許文献１に開示された構成で実現しようとすれば、コネクタカバーが筐体部材の間に配置されるから、筐体の厚み方向に信号線、シール、ケーブルケース及びＯリングが持つ厚さが介在するため、筐体の厚みを大きくし、また、ケーブルの幅方向については、ケーブルカバー内に信号線のコネクタ部を通すことに加え、信号線の線数の結合部幅、信号線の各縁側のシール幅、ケーブルケースの肉厚及びＯリング厚さが占有幅となる。このため、密封構造が装置の小型化を妨げる原因になる。【０００９】
また、信号線の周囲をシールする場合にあっては、シール剤を塗布する作業、そのシール剤の乾燥時間がシール処理を遅延させ、機器の生産性を低下させる。ケーブルが複数枚に亘ると、スペーサ実装が必要となり、その保持作業が追加されることになる。【００１０】
シール加工において、ケーブルとケーブルカバーとに対し、同一時期にシール剤を充填することが必要であり、斯かる作業は複雑であり、作業性を低下させる。【００１１】
このような課題に関し、特許文献１、２にはその開示はなく、その課題を解決する手段についての開示ないし示唆はない。【００１２】
そこで、本発明の目的は、結合される筐体間を密封する密封構造に関し、複数の信号線の通過を可能にするとともに、シール構造のコンパクト化を実現することにある。【００１３】
また、本発明の他の目的は、結合される筐体間を密封するシール処理に関し、密封構造が用いられる電子機器の生産性を向上させることにある。
【課題を解決するための手段】
【００１４】
上記目的を達成するため、本発明は、筐体間を接合させる密封部材に信号線を貫通させ、その信号線は重ねられ、接着材によって接合された構成である。即ち、重ねられた信号線間は介在させた接着材によって密封され、信号線の周囲部は密封部材によって密封されている。従って、筐体部を構成するための筐体間は信号線を通過させるとともに、密封部材及び接着材によって密封されている。斯かる構成により上記目的が達成される。【００１５】
上記目的を達成するため、本発明の第１の側面は、筐体を密封する密封構造であって、接合される筐体間に設置され、信号線を貫通させる密封部材と、前記密封部材を貫通する前記信号線の間に設置され、重ねられた信号線間を接合させる接着材とを備えることである。【００１６】
斯かる構成によれば、少なくとも２本の信号線であって接着材で接合されたもの又は１本の信号線で折り畳まれて接着材で接合されたものが密封部材に覆われ、この密封部材とともに筐体間に設置されて引き出されるので、筐体間の密封とその密封部分に信号線を通過させることができる。その場合、信号線の接合部分では接着材で気密性が保持され、信号線の接合部分以外の部分では密封部材によって気密性が保持されている。斯かる構成により上記目的が達成される。【００１７】
上記目的を達成するためには、上記密封構造において、好ましくは、前記接着材は、前記信号線の幅と同等又は異なる幅であればよいし、また、前記信号線は、前記密封部材と交差方向に配置されてもよいし、また、前記信号線は、その厚さに対して幅の広い板状であって、その板面側を前記密封部材の圧縮方向に配置してもよいし、また、前記信号線は、フラットケーブルであってもよいし、また、前記接着材は、粘着材又は両面接着シートであってもよいし、また、前記密封部材を前記信号線の一端部又は両端部に備えてもよい。このような構成としても、上記目的が達成される。【００１８】
上記目的を達成するため、本発明の第２の側面はガスケットであって、該ガスケットが上記密封構造を備えることである。斯かる構成によっても上記目的が達成される。【００１９】
上記目的を達成するため、本発明の第３の側面は電子機器であって、該電子機器が上記密封構造を備えることである。斯かる構成によっても上記目的が達成される。【００２０】
上記目的を達成するため、本発明の第４の側面は電子機器であって、該電子機器が上記ガスケットを備えることである。斯かる構成によっても上記目的が達成される。【００２１】
上記目的を達成するため、本発明の第５の側面は、電子機器であって、第１の筐体と、前記第１の筐体に対して接合される第２の筐体とを備える筐体部と、前記筐体部内に設けられた回路部と、前記回路部に接続され、前記筐体部から引き出される、第１のケーブル及び第２のケーブルと、前記第１の筐体と前記第２の筐体との間に設けられ、前記第１のケーブル及び前記第２のケーブルが貫通する密封部材と、前記第１のケーブルと前記第２のケーブルとの間に設けられ、重ねられた前記第１のケーブルと前記第２のケーブルとを接合させる接着材とを備えることである。【００２２】
斯かる構成によれば、第１及び第２の筐体間の密封が密封部材によって実現され、その密封部分に第１及び第２のケーブルを通過させており、これら第１及び第２のケーブル間は接着材によって接合され、第１及び第２のケーブルの接合部分では接着材で気密性が保持され、第１及び第２のケーブルの接合部分以外の部分では密封部材によって気密性が保持され、斯かる構成により上記目的が達成される。【００２３】
上記目的を達成するため、本発明の第６の側面は密封方法であって、該密封方法が上記密封構造を形成する工程を含むことである。斯かる構成によっても上記目的が達成される。【００２４】
上記目的を達成するためには、上記密封方法において、好ましくは、上記ガスケットを設置する工程を含む構成としてもよい。【００２５】
上記目的を達成するため、本発明の第７の側面は、筐体を密封するガスケットの製造方法であって、信号線の間に重ねて設置され、前記信号線間を接着材で接合させる工程と、接合された前記信号線を貫通させる密封部材を形成する工程とを含むことである。斯かる構成によっても上記目的が達成される。
【発明の効果】
【００２６】
(1) 本発明によれば、携帯装置や電子機器に日常的に必要な止水性や気密性が得られ、しかも、安定した防水機能や気密性が得られ、携帯装置や電子機器の小型化や偏平化に寄与する。【００２７】
(2) 本発明によれば、筐体間に設置される密封部材と信号線とを一体構造化でき、携帯装置や電子機器の筐体部の気密性や止水性が得られるとともに、信号線を密封部分で貫通させることができる。【００２８】
(3) 筐体間に設置されるガスケットと信号線とを一体構造化でき、携帯装置や電子機器の筐体部の気密性や防水性が得られるとともに、信号線を密封部分で貫通させて引き出すことができる。【００２９】
(4) 信号線の接合部を信号線と密封部材又はガスケットとの一体部分に位置させることができるので、密封部材又はガスケットに対する信号線の幅方向、厚み方向への占有寸法を最小にすることができる。【００３０】
(5) 少なくとも２本の信号線は、信号線間に接着材を重ねて接合し、接着材によって密封しているので、簡素な構造で高い気密性や止水性が得ることができる。【００３１】
(6) 両面接着シート等の接着材を用いれば、重ねられた信号線の厚みを最小にしつつ、接着材による密閉が得られるとともに、密封構造やガスケットを実現するための事前加工が容易になり、生産性の向上とともに製造コストや製品コストの低減化を図ることができる。
【００３２】
そして、本発明の他の目的、特徴及び利点は、添付図面及び各実施の形態を参照することにより、一層明確になるであろう。
【図面の簡単な説明】
【００３３】
【図１】第１の実施の形態に係る電子機器の密封構造を示す図である。
【図２】電子機器の密封構造を示す分解斜視図である。
【図３】図１のIII −III 線断面図である。
【図４】図１のIV−IV線断面図である。
【図５】電子機器の密封方法を示す図である。
【図６】第２の実施の形態に係る電子機器の密封構造を示す断面図である。
【図７】図６のVII −VII 線断面図である。
【図８】第３の実施の形態に係る電子機器の密封構造を示す断面図である。
【図９】図８のIX−IX線断面図である。
【図１０】第４の実施の形態に係る信号線及びガスケットの一体化構造を示す図である。
【図１１】第５の実施の形態に係る信号線及びガスケットの一体化構造を示す図である。
【図１２】他の実施の形態に係る信号線及びガスケットの一体化構造を示す図である。
【図１３】他の実施の形態に係る信号線及びガスケットの一体化構造を示す図である。
【図１４】第１の実施例に係る携帯装置を示す図である。
【図１５】携帯装置を示す分解斜視図である。
【図１６】第２の実施例に係る信号線及びガスケットの一体化構造を示す図である。
【図１７】第３の実施例に係る信号線及びガスケットの一体化構造を示す図である。
【図１８】第４の実施例に係る信号線及びガスケットの一体化構造を示す図である。
【図１９】第５の実施例に係る信号線及びガスケットの一体化構造を示す図である。
【図２０】第６の実施例に係る信号線及びガスケットの一体化構造を示す図である。
【図２１】第７の実施例に係る信号線及びガスケットの一体化構造を示す図である。
【図２２】第８の実施例に係る信号線及びガスケットの一体化構造を示す図である。
【図２３】他の実施例に係るパーソナルコンピュータを示す図である。
【図２４】他の実施例に係るビデオカメラを示す図である。
【符号の説明】
【００３４】
２  電子機器
４  ケース部
６、８  ケース
１０  ガスケット（密封部材）
１６  回路基板
１８１、１８２  フレキシブルケーブル
２２  両面接着シート（接着材）
２００  携帯装置
３００  パーソナルコンピュータ
４００  ビデオカメラ
【発明を実施するための最良の形態】
【００３５】
〔第１の実施の形態〕【００３６】
本発明の第１の実施の形態について、図１及び図２を参照する。図１は電子機器を示す斜視図、図２は電子機器の分解斜視図である。【００３７】
この電子機器２は外部から水分や塵埃の侵入を阻止する必要のある機器の一例であって、例えば、携帯端末装置等の携帯装置である。この電子機器２にあっては、図１に示すように、筐体部としてのケース部４には、第１の筐体として上側ケース６と、第２の筐体として下側ケース８とが備えられており、これら上側ケース６と下側ケース８との接合により、ケース部４が構成される。このケース部４の密封のため、ケース間を密封する密封部材としてガスケット１０が備えられている。ガスケット１０は、上側ケース６と下側ケース８との接合面の形状に合致する例えば、周回状であって、弾性と気密性とを備えるゴム等の柔軟性材料で構成される。【００３８】
ケース部４の内部空間１４には、図２に示すように、回路部として例えば、電子機器２の機能部を搭載する回路基板１６が設置され、この回路基板１６には、少なくとも２本の信号線又は板状の信号線である、第１のケーブルとしてフレキシブルケーブル１８１と、第２のケーブルとしてフレキシブルケーブル１８２とが接続されている。フレキシブルケーブル１８１、１８２はコネクタ２０による接続や直接接続によって回路基板１６に接続されるとともに、ガスケット１０を通してケース部４から引き出され、ケース部４の外部にある図示しない電子機器の他の機能部や他の電子機器に接続される。従って、この電子機器２では、ガスケット１０を含む密封構造によって密封性が維持されているとともに、フレキシブルケーブル１８１、１８２を貫通させて外部との電気的な接続や信号の授受が可能である。【００３９】
この電子機器２の密封構造について、図３及び図４を参照する。図３は、図１のIII −III 線断面図、図４は、図１のIV−IV線断面図である。図３及び図４において、図１及び図２と同一部分には同一符号を付してある。【００４０】
この密封構造は、図３に示すように、少なくとも２本の信号線として、フレキシブルケーブル１８１、１８２には接着材として両面接着シート２２が重ねられて設置され、この両面接着シート２２を以て一体化されている。これらフレキシブルケーブル１８１、１８２の周囲部、フレキシブルケーブル１８１、１８２間から露出する両面接着シート２２の露出部はガスケット１０によって覆われている。そして、図４に示すように、ガスケット１０の上面側には上側ケース６の立壁部２４、ガスケット１０の下面側には下側ケース８の立壁部２６が重ねられ、各立壁部２４、２６の端面部２８、３０がガスケット１０に密着し、ガスケット１０とケース部４の気密性が保持されている。【００４１】
フレキシブルケーブル１８１、１８２の各幅をＷ１、Ｗ２、両面接着シート２２の幅をＷ３とすると、この実施の形態では、フレキシブルケーブル１８１、１８２のＷ１、Ｗ２は同一幅（Ｗ１＝Ｗ２）であり、これらの幅Ｗ１（＝Ｗ２）に対し、両面接着シート２２の幅Ｗ３が大きく設定され｛Ｗ３＞Ｗ１（＝Ｗ２）｝、そのため、両面接着シート２２の縁部がフレキシブルケーブル１８１、１８２の縁部より突出している。また、この場合、｛Ｗ３≦Ｗ１（＝Ｗ２）｝に設定してもよい。【００４２】
上側ケース６の立壁部２４の幅をＷ４、下側ケース８の立壁部２６の幅をＷ５、ガスケット１０の幅をＷ６、両面接着シート２２の横幅をＷ７とすると、この実施の形態では、立壁部２４、２６の幅Ｗ４、Ｗ５は同一（Ｗ４＝Ｗ５）に設定され、ガスケット１０の幅Ｗ６はこれら立壁部２４、２６の幅Ｗ４、Ｗ５より大きく設定されている｛Ｗ６＞Ｗ４（＝Ｗ５）｝。また、両面接着シート２２の横幅Ｗ７はガスケット１０の幅Ｗ６と同一（Ｗ６＝Ｗ７）に設定されており、斯かる設定により、ガスケット１０内のフレキシブルケーブル１８１、１８２の間隔ｔが両面接着シート２２の厚さに応じて一定幅例えば、２〔ｍｍ〕程度に維持されるとともに、ガスケット１０からフレキシブルケーブル１８１、１８２の剥離が防止されている。【００４３】
また、斯かる密封構造では、信号線の接合部を信号線と密封部材又はガスケットとの一体部分に位置させることができるので、密封部材であるガスケット１０に対する信号線の幅方向、厚み方向への占有寸法を最小にすることができ、密封部の電子機器２に占める割合を低下でき、電子機器２の小型化や偏平化等に寄与する。【００４４】
次に、ケース部４の密封構造、密封方法又はガスケット１０の製造方法について、図５を参照する。図５は、密封方法、ガスケット１０の製造方法の処理工程の一例を示す図である。図５において、図１、図２、図３及び図４と同一部分には同一符号を付してある。【００４５】
この密封方法には、フレキシブルケーブル１８１、１８２の接合工程、密封部材としてのガスケット１０の成形工程及びフレキシブルケーブル１８１、１８２との一体化工程及びケース部４の密封工程が含まれ、ガスケットの製造方法は、フレキシブルケーブル１８１、１８２の接合工程の後、ガスケット１０の成形工程が含まれる。【００４６】
ａ) フレキシブルケーブル１８１、１８２の接合工程【００４７】
図５のＡに示すように、フレキシブルケーブル１８１とフレキシブルケーブル１８２との間に接着材である両面接着シート２２を重ね合わせ、図５のＢに示すように、両面接着シート２２によってフレキシブルケーブル１８１、１８２を一体化させる。【００４８】
ｂ) ガスケット１０の成形工程及びフレキシブルケーブル１８１、１８２との一体化工程【００４９】
一体化された少なくとも２本のフレキシブルケーブル１８１、１８２は、図５のＣに示すように、両者の接合部３２を成形型３４のキャビティ３６に合わせ、キャビティ３６の内部にポート３８からガスケット材料４０を流し込み、ガスケット１０を成形する。この結果、図５のＤに示すように、成形されたガスケット１０とフレキシブルケーブル１８１、１８２とが一体構造化される。【００５０】
このような成形処理により、ガスケット１０と複数のフレキシブルケーブル１８１、１８２とが容易に一体化され、しかも、接合部３２のガスケット１０にはフレキシブルケーブル１８１、１８２が貫通している。【００５１】
ｃ) ケース部４の密封工程【００５２】
そして、図２に示すように、フレキシブルケーブル１８１、１８２のコネクタ２０側には回路基板１６が接続され、ガスケット１０を上側ケース６と下側ケース８との間に挟み込み、ケース部４の組立とともに、ケース部４の気密性がガスケット１０によって保持される。【００５３】
また、ガスケット１０とフレキシブルケーブル１８１、１８２との間は、両面接着シート２２による接合と、フレキシブルケーブル１８１、１８２及び両面接着シート２２とガスケット１０との接合によって止水、塵埃侵入阻止等が可能である気密性が保持される。【００５４】
〔第２の実施の形態〕【００５５】
第１の実施の形態では、フレキシブルケーブル１８１、１８２の幅Ｗ１、Ｗ２を同一幅（Ｗ１＝Ｗ２）に設定したが、図６に示すように、Ｗ１＜Ｗ２としてもよい。この場合、両面接着シート２２の幅Ｗ３は、フレキシブルケーブル１８２の幅Ｗ２と同一（Ｗ３＝Ｗ２）とすればよい。【００５６】
また、両面接着シート２２の横幅Ｗ７は、図７に示すように、第１の実施の形態と同様に、ガスケット１０と同等に設定すればよい。図７は、図６のVII − VII線断面図であり、図６及び図７において、図１、図２、図３、図４及び図５と同一部分には同一符号を付し、各部材の説明は省略する。【００５７】
〔第３の実施の形態〕【００５８】
第１及び第２の実施の形態では、少なくとも２本の信号線の一例として、第１及び第２のケーブルであるフレキシブルケーブル１８１、１８２を用いた場合について説明したが、図８及び図９に示すように、３本のフレキシブルケーブル１８１、１８２、１８３を合体した場合であってもよい。図８は図３又は図６に対応する断面図であり、図９は図８のIX−IX線断面図である。【００５９】
この場合、フレキシブルケーブル１８１とフレキシブルケーブル１８２との間には両面接着シート２２１が重ねられ、フレキシブルケーブル１８２とフレキシブルケーブル１８３との間には両面接着シート２２２が重ねられて接合され、各フレキシブルケーブル１８１、１８２、１８３が両面接着シート２２１、２２２によって合体している。フレキシブルケーブル１８１、１８２、１８３の幅をＷ２１、Ｗ２２、Ｗ２３、両面接着シート２２１、２２２の幅をＷ３１、Ｗ３２とすると、幅Ｗ３１、Ｗ３２を幅Ｗ２１、Ｗ２２、Ｗ２３より大きい幅｛Ｗ３１（Ｗ３２）＞Ｗ２１（Ｗ２２，Ｗ２３）｝に設定すれば、フレキシブルケーブル１８１、１８２、１８３の接着強度を高めることができるとともに、合体されたフレキシブルケーブル１８１、１８２、１８３から露出する両面接着シート２２１、２２２とガスケット１０とを密着させることができ、気密性を高めることができる。【００６０】
この実施の形態では、フレキシブルケーブル１８１、１８２、１８３の幅Ｗ２１、Ｗ２２、Ｗ２３を同等幅（Ｗ２１＝Ｗ２２＝Ｗ２３）に設定しているが、異ならせてもよく（Ｗ２１≠Ｗ２２≠Ｗ２３）、また、両面接着シート２２１、２２２の幅Ｗ３１、Ｗ３２も同等（Ｗ３１＝Ｗ３２）である必要はなく、異ならせてもよい（Ｗ３１≠Ｗ３２）。【００６１】
また、第１及び第２の実施の形態では、上側ケース６の立壁部２４、下側ケース８の立壁部２６の幅Ｗ４、Ｗ５よりガスケット１０の幅Ｗ６を大きく設定したが、図９に示すように、同等に設定してもよい。その他の構成は、第１の実施の形態と同様であるので、その説明を省略する。【００６２】
〔第４の実施の形態〕【００６３】
上記実施の形態では、周回状の単一のガスケット１０を用いた場合について説明したが、第４の実施の形態では、図１０に示すように、複数のガスケット１０１、１０２間にフレキシブルケーブル１８１、１８２又はフレキシブルケーブル１８１、１８２、１８３を貫通させることにより、複数のガスケット１０１、１０２と信号線とを合体する構成としてもよい。図１０は既述の密封構造（ガスケット）とフレキシブルケーブルとの一体化構造を示す図である。図１０において、図２と同一部分には同一符号を付してある。【００６４】
このようなフレキシブルケーブル１８１、１８２（又は１８１、１８２、１８３）とガスケット１０１、１０２との一体化構造によれば、電子機器として例えば、携帯装置２００のケース部２０２側にガスケット１０１、そのケース部２０４側にガスケット１０２を設置し、フレキシブルケーブル１８１、１８２がヒンジ部２０６に跨がって設置され、ケース部２０２、２０４の気密性を維持するとともに、各ケース部２０２、２０４の回路部間をフレキシブルケーブル１８１、１８２で接続することができる。【００６５】
〔第５の実施の形態〕【００６６】
上記実施の形態では、１つのガスケット１０又はガスケット１０１、１０２により単一の密閉空間を形成する密封構造としたが、この第５の実施の形態では、図１１に示すように、例えば、ガスケット１０１側に分離壁４２が形成されることにより、ガスケット１０１には独立した２つの密閉空間４４、４６が形成される構成であり、このように各密閉空間４４、４６間に跨がってフレキシブルケーブル１８４、１８５が設置される構成としてもよい。図１１は第５の実施の形態に係る密封構造とフレキシブルケーブルとの一体化構造を示す図であり、この実施の形態において、第４の実施の形態（図１０）と同一部分には同一符号を付し、その説明を省略する。【００６７】
〔他の実施の形態〕【００６８】
(1) 上記実施の形態では、フレキシブルケーブル１８１、１８２等を合体させるための接着材として両面接着シート２２を例示したが、この両面接着シート２２に代えて粘着材を用いてもよく、粘着材を用いた場合、各実施の形態に示した両面接着シート２２の部分は粘着材層又は接着材層を表すことになる。【００６９】
(2) 上記実施の形態では、複数のフレキシブルケーブル１８１、１８２等を用いた場合について説明したが、図１２に示すように、単一のフレキシブルケーブル１８０を用いた場合にも本発明を適用することができる。図１２は、図３に対応する断面図であって、同一部分には同一符号を付してある。この場合、単一のフレキシブルケーブル１８０は、中間部で屈曲させて折り畳み、その間に両面接着シート２２を重ね合わせて幅の広いフレキシブルケーブル１８０を２分の１幅に縮小し、ガスケット１０を貫通させた構成である。このような構成としても、同様にガスケット１０を貫通させるとともに、気密性を保持させることができる。【００７０】
(3) また、フレキシブルケーブル１８０は、図１３に示すように、千鳥状に折り畳み、複数枚の両面接着シート２２１、２２２を重ねることにより、幅の広いフレキシブルケーブル１８０を３分の１幅以下に縮小させ、ガスケット１０を貫通させた構成としてもよい。
【実施例】
【００７１】
〔第１の実施例〕【００７２】
次に、本発明の第１の実施例について、図１４及び図１５を参照する。図１４は携帯装置の一例を示す斜視図、図１５は携帯装置の分解斜視図である。図１４及び図１５において、図１０と同一部分には同一符号を付してある。【００７３】
この携帯装置２００は、図１４に示すように、ケース部２０２とケース部２０４とをヒンジ部２０６で連結して開閉可能に構成したものである。ケース部２０２側にはＬＣＤ（Liquid Crystal Display）表示装置等で構成される表示部２０８、ケース部２０４には複数のキーからなる操作入力部２１０が備えられている。また、図１５に示すように、ケース部２０２は上側ケース６１と下側ケース８１とで構成され、ケース部２０４は上側ケース６２と下側ケース８２とで構成されている。この実施例では、第４の実施の形態（図１０）と同様に、ケース部２０２側にはガスケット１０１が設置され、ケース部２０４側にはガスケット１０２が設置されている。各ガスケット１０１、１０２にはフレキシブルケーブル１８１、１８２が貫通され、各ガスケット１０１、１０２の間にあるフレキシブルケーブル１８１、１８２はヒンジ部２０６の内部に周回させて設置されている。【００７４】
このような構成によれば、各ガスケット１０１、１０２がフレキシブルケーブル１８１、１８２と一体化構造であるので、単一の配線部品ないしガスケットとして取り扱うことができ、部品点数の削減化とともに、各ケース部２０２、２０４の止水や塵埃侵入阻止等の気密性保持とともに、フレキシブルケーブル１８１、１８２による電気的接続及び信号伝送を行うことができる。【００７５】
〔第２の実施例〕【００７６】
第２の実施例では、図１６に示すように、第５の実施の形態（図１１）と同様にガスケット１０１側に分離壁４２を形成して密閉空間４４、４６が形成され、フレキシブルケーブル１８１、１８２を密閉空間４６側の立壁部４８から分離壁４２を貫通させて設置し、フレキシブルケーブル１８１、１８２の中間部に分岐部１８６が形成され、この分岐部１８６にコネクタ２０を形成したものである。斯かる構成とすれば、ガスケット１０２側の回路基板とガスケット１０１側の各密閉空間４４、４６に設置される回路基板とをそれぞれの気密性を維持しながら、電気的接続、信号伝送を行うことができる。【００７７】
〔第３の実施例〕【００７８】
第３の実施例では、図１７に示すように、第２の実施例（図１６）と同様に、ガスケット１０１側に分離壁４２を形成して密閉空間４４、４６を区画したものであって、フレキシブルケーブルの１８１、１８２の分岐部１８６をガスケット１０１を貫通させて密閉空間４６外に引き出したものである。このような構成によっても、ガスケット１０２側の回路基板やガスケット１０１側の密閉空間４４に設置される回路基板と密閉空間４６外の電子機器との気密性を維持しながら、電気的接続、信号伝送を行うことができる。【００７９】
〔第４の実施例〕【００８０】
第４の実施例では、図１８に示すように、ガスケット１０１の内側にガスケット１０３が設置され、ガスケット１０１側の密封構造はガスケット１０１、１０３によって多重化されており、フレキシブルケーブル１８１、１８２はガスケット１０１、１０３を貫通して設置されている。図１８において、第１の実施例（図１５）と同一部部には同一符号を付してある。【００８１】
ガスケット１０１、１０３のようにガスケットの多重化構造により、ガスケット１０３内の止水や塵埃阻止に対する気密性の強度をより高めることができる。【００８２】
〔第５の実施例〕【００８３】
第１の実施例（図１５）では、単一化したフレキシブルケーブル１８１、１８２をガスケット１０１、１０２の１箇所で貫通させたが、この第５の実施例は、図１９に示すように、単一化したフレキシブルケーブル１８１、１８２に対し、他のフレキシブルケーブル２８１、２８２を貫通させ、ガスケット１０１、１０２の複数箇所に、複数の信号線を貫通させる構成としたものである。【００８４】
第１の実施例で説明した通り、上記密封構造を採用すれば、ガスケット１０１、１０２の複数箇所で信号線を貫通させる構成としても気密性を害することがなく、電気的接続、信号伝送を行うことができる。【００８５】
〔第６の実施例〕【００８６】
第６の実施例は、図２０に示すように、第４の実施例（図１８）にガスケット１０４を追加して密封構造を多重化したものである。このように、ガスケット１０１、１０３、１０４の三重化により密閉強度を高めることができる。【００８７】
〔第７の実施例〕【００８８】
第７の実施例は、図２１に示すように、複数のガスケット１０１、１０２、１０５、１０６が設置され、各ガスケット１０１、１０２を貫通させたフレキシブルケーブル１８１、１８２をガスケット１０１内で分岐させ、分岐ケーブル１８７、１８８をガスケット１０５、１０６に貫通させたものである。このように多岐に亘るケーブルに対し、各ケーブルの接続部側にガスケットを個別に設置する構成とすれば、複数の機器や単一の機器内において、複数の密閉空間を形成でき、多様な機器形態に対応することができる。【００８９】
〔第８の実施例〕【００９０】
第７の実施例では、ガスケット１０１を中心にしてフレキシブルケーブル１８７、１８８を放射状に分岐する形態について示したが、第８の実施例では、図２２に示すように、ガスケット１０１に対してガスケット１０７、１０８が設置され、ガスケット１０１とガスケット１０７との間に第１の信号線としてフレキシブルケーブル３８１、３８２、ガスケット１０１とガスケット１０８との間に第２の信号線としてフレキシブルケーブル４８１、４８２を貫通させて設置したものである。【００９１】
このような構成とすれば、各ガスケット１０１、１０７、１０８に設置された回路基板を各フレキシブルケーブル３８１、３８２、４８１、４８２によってシリーズ接続し、ガスケット毎の気密性保持と電気的な接続及び信号伝送が行える。【００９２】
〔他の実施例〕【００９３】
上記実施の形態や実施例では、電子機器や携帯装置として携帯電話機を例示したが、本発明は、図２３に示すように、パーソナルコンピュータ（ＰＣ）に適用することができる。即ち、このＰＣ３００では、ケース部３０２とケース部３０４とをヒンジ部３０６で開閉可能に連結したものであり、ケース部３０２にはＬＣＤ表示部３０８が設置され、ケース部３０４には操作入力部３１０が設置されている。このようなＰＣ３００において、ケース部３０２とケース部３０４とに個別にガスケットを設置し、第１の実施例と同様の密封構造を実施し、各ケース部３０２、３０４の気密性と、ケース部３０２、３０４に設置される回路基板間の電気的な接続とともに信号伝送が可能である。【００９４】
また、本発明は、図２４に示すように、ビデオカメラ等にも適用することができる。即ち、ビデオカメラ４００では、ケース部４０２とケース部４０４とをヒンジ部４０６で開閉可能に連結したものであり、ケース部４０２にはＬＣＤ表示部が設置され、ケース部４０４には操作入力部等が設置されている。このようなビデオカメラ４００において、ケース部４０２とケース部４０４とに個別にガスケットを設置し、第１の実施例と同様の密封構造を実施し、各ケース部４０２、４０４の気密性と、ケース部４０２、４０４に設置される回路基板間の電気的な接続とともに信号伝送が行える。【００９５】
また、上記実施例では、２本のフレキシブルケーブル１８１、１８２を用いるガスケットの密封構造を例示したが、本発明は単一のフレキシブルケーブルを用いてもよく、複数本のフレキシブルケーブルを用いてもよい。【００９６】
以上述べたように、本発明の最も好ましい実施の形態等について説明したが、本発明は、上記記載に限定されるものではなく、請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００９７】
本発明は、筐体を密封する密封構造、電子機器、密封方法、ガスケット及びその製造方法に関し、携帯装置や電子機器に日常的に必要な止水性や気密性が得られ、しかも、安定した防水機能や気密性が得られ、携帯装置や電子機器の小型化や偏平化に寄与する等、有用である。
【図１】
2009013798.tif 000003
【図２】
2009013798.tif 000004
【図３】
2009013798.tif 000005
【図４】
2009013798.tif 000006
【図５】
2009013798.tif 000007
【図６】
2009013798.tif 000008
【図７】
2009013798.tif 000009
【図８】
2009013798.tif 000010
【図９】
2009013798.tif 000011
【図１０】
2009013798.tif 000012
【図１１】
2009013798.tif 000013
【図１２】
2009013798.tif 000014
【図１３】
2009013798.tif 000015
【図１４】
2009013798.tif 000016
【図１５】
2009013798.tif 000017
【図１６】
2009013798.tif 000018
【図１７】
2009013798.tif 000019
【図１８】
2009013798.tif 000020
【図１９】
2009013798.tif 000021
【図２０】
2009013798.tif 000022
【図２１】
2009013798.tif 000023
【図２２】
2009013798.tif 000024
【図２３】
2009013798.tif 000025
【図２４】
2009013798.tif 000026
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
筐体を密封する密封構造であって、
接合される筐体間に設置され、信号線を貫通させる密封部材と、
前記密封部材を貫通する前記信号線の間に設置され、重ねられた信号線間を接合させる接着材と、
を備えることを特徴とする密封構造。
【請求項２】
請求項１の密封構造において、
前記接着材は、前記信号線の幅と同等又は異なる幅であることを特徴とする密封構造。
【請求項３】
請求項１の密封構造において、
前記信号線は、前記密封部材と交差方向に配置されたことを特徴とする密封構造。
【請求項４】
請求項１の密封構造において、
前記信号線は、その厚さに対して幅の広い板状であって、その板面側を前記密封部材の圧縮方向に配置したことを特徴とする密封構造。
【請求項５】
請求項１の密封構造において、
前記信号線は、フラットケーブルであることを特徴とする密封構造。
【請求項６】
請求項１の密封構造において、
前記接着材は、粘着材又は両面接着シートであることを特徴とする密封構造。
【請求項７】
請求項１の密封構造において、
前記密封部材を前記信号線の一端部又は両端部に備えることを特徴とする密封構造。
【請求項８】
第１の筐体と、前記第１の筐体に対して接合される第２の筐体とを備える筐体部と、
前記筐体部内に設けられた回路部と、
前記回路部に接続され、前記筐体部から引き出される、第１のケーブル及び第２のケーブルと、
前記第１の筐体と前記第２の筐体との間に設けられ、前記第１のケーブル及び前記第２のケーブルが貫通する密封部材と、
前記第１のケーブルと前記第２のケーブルとの間に設けられ、重ねられた前記第１のケーブルと前記第２のケーブルとを接合させる接着材と、
を備えることを特徴とする電子機器。
【請求項９】
筐体を密封するガスケットの製造方法であって、
信号線の間に重ねて設置され、前記信号線間を接着材で接合させる工程と、
接合された前記信号線を貫通させる密封部材を形成する工程と、
を含むことを特徴とする、ガスケットの製造方法。
【手続補正３】
【補正対象書類名】明細書
【補正対象項目名】０００１
【補正方法】変更
【補正の内容】
【０００１】
本発明は、携帯装置の他、各種電子機器の筐体を密封する密封構造に関し、特に、フラットケーブル等の信号線を通過させるとともに、筐体を密封する密封構造、電子機器及びガスケットの製造方法に関する。
【手続補正４】
【補正対象書類名】明細書
【補正対象項目名】００９７
【補正方法】変更
【補正の内容】
【００９７】
本発明は、筐体を密封する密封構造、電子機器及びガスケットの製造方法に関し、携帯装置や電子機器に日常的に必要な止水性や気密性が得られ、しかも、安定した防水機能や気密性が得られ、携帯装置や電子機器の小型化や偏平化に寄与する等、有用である。
【国際調査報告】
2009013798.tif 000027
2009013798.tif 000028
2009013798.tif 000029
2009013798.tif 000030